(57)【要約】      （修正有）【課題】構造が至って簡単で、操作パネル裏面より操作基板を収納した基板ボックスを簡単に取り付け、取り外しも簡単にできて修復できる、電気湯沸かし器の提供。【解決手段】  操作部１１は、嘴部１７上面壁を大きな半楕円形状とし、内壁に半楕円形状と近い六角形状に沿った周側壁２１を垂下した操作パネル２０と、操作パネルの上面に貼着する操作用シール２８と、中央に液晶パネル２９とその周りにスイッチ３０群やこれに伴う点灯表示用のランプ３１群を配置する六角形状の操作基板２６と、操作基板を収納し、操作パネル２０内壁の周側壁２１に嵌合する六角形状の周側壁３３を備えた基板ボックス２７とを設け、操作パネルの周側壁２１に操作基板を収納した基板ボックスの周側壁３３を嵌合すると同時に基板ボックスを操作パネルにビス止めし後に、吐出機構の吐出パイプ３５上端面を基板ボックス底壁のほぼ中央に沿わせるように配置する構成とした。【選択図】   図２
2007330285.tif 000002
【特許請求の範囲】
【請求項１】
有底筒状で底部を一重壁、胴部を真空二重壁とした内容器（３）を設け、内容器の底部外壁にヒータ（４）を設け、内容器を囲む外装ケース（２）を設け、外装ケース上端に肩部材（５）を結合し、肩部材の上端中央に内容器の口元を開閉する蓋体（６）を設け、外装ケース下端に底部材（７）を結合し、肩部材の前部に外装ケースの胴部より前方に突出した嘴部（１７）を設け、嘴部の内部を空洞とし、嘴部の上部に内容器内の液体を沸騰、保温、吐出操作するスイッチ（３０）、（３０）群やこれに伴う点灯表示用のランプ（３１）、（３１）群、保温状態を示す液晶パネル（２９）等を含む操作部（１１）を設け、内容器内の液体を外部に流出する吐出パイプ（３５）を備えた吐出機構（９）を設け、内容器内の液温を感知してコンピュータ制御するメイン基板（１０）を設けた電気湯沸かし器（１）に於いて、上記操作部（１１）は、嘴部（１７）上面壁を大きな半楕円形状とし、内壁に半楕円形状と近い六角形状に沿った周側壁（２１）を垂下した操作パネル（２０）と、操作パネルの上面に貼着する操作用シール（２８）と、中央に液晶パネル（２９）とその周りにスイッチ（３０）、（３０）群やこれに伴う点灯表示用のランプ（３１）、（３１）群を配置する六角形状の操作基板（２６）と、操作基板を収納し、操作パネル（２０）内壁の周側壁（２１）に嵌合する六角形状の周側壁（３３）を備えた基板ボックス（２７）とを設け、操作パネルの周側壁（２１）に操作基板を収納した基板ボックスの周側壁（３３）を嵌合すると同時に基板ボックスを操作パネルにビス止めし後に、吐出機構の吐出パイプ（３５）上端面を基板ボックス底壁のほぼ中央に沿わせるように配置したことを特徴とする電気湯沸かし器。
【発明の詳細な説明】
【技術分野】
【０００１】
本発明は、電気湯沸かし器内の液体の沸騰、保温、吐出等を操作する操作部の取り付け構造に関するものである。
【背景技術】
【０００２】
従来、電気湯沸かし器としては、内容器である真空二重容器３と、真空二重容器内の内容液を加熱するヒータ１１と、内容液を外部に案内する吐出路２５と、真空二重容器を囲んだ外装ケース２と、外装ケース上端の肩部材６と、肩部材の中央上端で真空二重容器の口元を開閉する蓋１３と、肩部材の前部外方に延びた嘴状突出部３１の上面に操作部を設けた構造の電気ポットが特開２００２−２８２１２５号公報（特許文献１、図１乃至図５参照）として存在する。
【０００３】
【特許文献１】特開２００２−２８２１２５号公報（図１乃至図５参照）
【０００４】
以下、特許文献１の図１乃至図５により従来の電気湯沸かし器について説明する。
この特許文献１の電気湯沸かし器の一例である電気ポットは、内筒と外筒とにより構成される金属製の真空二重容器３と、内筒内の内容液を加熱するヒータ１１と、内容液を電動ポンプ２６を介して外部に案内する吐出路２５と、真空二重容器を囲んだ合成樹脂製の外装ケース２と、外装ケース上端の肩部材６と、肩部材の中央上端で真空二重容器の口元を開閉する蓋１３と、肩部材の前部外方に延びた嘴状突出部３１の上面に操作部を設けた構造としている。
【発明の開示】
【発明が解決しようとする課題】
【０００５】
ところが、この種の電気湯沸かし器では、肩部材６の嘴状突出部３１に開口部５１を設け、この開口部５１に操作部を装着し、この操作部が沸騰、吐出スイッチ類や点灯ランプ類を配置する操作基板３３と、操作基板上面に配置する操作パネル３２と、操作パネル上面に貼り付けるインサート印刷３０とを設け、操作基板を操作パネルの裏側にあてがいビス止めした後、更に開口部５１を形成する嘴状突出部３１の周壁５６に操作パネルをビス止めしているにすぎません。
【０００６】
従って、操作部の構造が極めて複雑となり、取り付け作業も煩わしく、操作パネルの沸騰、吐出スイッチ類や点灯ランプ類が誤作動を起こした場合、一旦肩部材の開口部５１より操作パネル３２を取り外し後に、操作パネル３２より操作基板３３を取り外さなければならず、非常に煩わしい取り外しとなると共に、長期使用に際し、操作パネル上の各スイッチ類の押圧によって大型の操作パネルでは、中央陥没の恐れが生じて各スイッチ類の誤作動を解消することができず、長期使用に耐えないという問題点があった。
【課題を解決するための手段】
【０００７】
本発明は、有底筒状で底部を一重壁、胴部を真空二重壁とした内容器３を設け、内容器の底部外壁にヒータ４を設け、内容器３を囲む外装ケース２を設け、外装ケース上端に肩部材５を結合し、肩部材の上端中央に内容器の口元を開閉する蓋体６を設け、外装ケース下端に底部材７を結合し、肩部材の前部に外装ケースの胴部より前方に突出した嘴部１７を設け、嘴部の内部を空洞とし、嘴部の上部に内容器内の液体を沸騰、保温、吐出操作するスイッチ３０、３０群やこれに伴う点灯表示用のランプ３１、３１群、保温状態を示す液晶パネル２９等を含む操作部１１を設け、内容器内の液体を外部に流出する吐出パイプ３５を備えた吐出機構９を設け、内容器内の液温を感知してコンピュータ制御するメイン基板１０）を設けた電気湯沸かし器１に於いて、上記操作部１１は、嘴部１７上面壁を大きな半楕円形状とし、内壁に半楕円形状と近い六角形状に沿った周側壁２１を垂下した操作パネル２０と、操作パネルの上面に貼着する操作用シール２８と、中央に液晶パネル２９とその周りにスイッチ３０、３０群やこれに伴う点灯表示用のランプ３１、３１群を配置する六角形状の操作基板２６と、操作基板を収納し、操作パネル２０内壁の周側壁２１に嵌合する六角形状の周側壁３３を備えた基板ボックス２７とを設け、操作パネルの周側壁２１に操作基板を収納した基板ボックスの周側壁３３を嵌合すると同時に基板ボックスを操作パネルにビス止めし後に、吐出機構の吐出パイプ３５上端面を基板ボックス底壁のほぼ中央に沿わせるように配置した構成としている。
【発明の効果】
【０００８】
本発明は、従来の問題点を解決したものであって、構造が至って簡単で、操作パネル裏面より操作基板を収納した基板ボックスを簡単に取り付け、取り外しも簡単にできて修復でき、しかも大型の操作パネルが裏面より十分支えられて、各スイッチ類を常に正常にして何ら変形を起こさず各スイッチ類の誤作動を阻止することができて、長期使用に耐えることができる電気湯沸かし器を提供するにある。
【発明を実施するための最良の形態】
【０００９】
電気湯沸かし器１は、外装ケース２に囲まれた内容器３と、内容器内の液体を加熱するヒータ４と、外装ケースの上端に結合する肩部材５と、肩部材の上端中央に着脱自在に装着し、内容器の口元を開閉する蓋体６と、外装ケースの下端に結合した底部材７と、電動ポンプ８を介して内容器内の液体を外部へ流出する吐出機構９と、内容器内の液温を感知してコンピュータ制御するメイン基板１０と、内容器内の液体に対して沸騰、吐出等の操作及びその表示を行う操作部１１とから構成している。
【００１０】
外装ケース２は、図１及び図２に示すように、金属製又は合成樹脂製で前面を内側に窪ませた筒状に形成しており、内容器３の胴体が自由に挿通できる大きさの内径を有している。
外装ケース２の上端前面には、後述の肩部材５の嘴部下面を覆うように外方へ突出し、この突出した先端部下壁に後述の吐出機構９の吐出パイプ用の開口を設けている。
【００１１】
内容器３は、図２に示すように、ステンレス等の金属材料にて有底筒状の内壁３ａと、内壁よりも大きな筒状の外壁３ｂとを設け、内壁３ａの底部中央より離れた底部外側壁に外壁３ｂの底部を溶着し、内壁３ａの口元を内側に大きくすぼめてその先端を外側に広げて内壁フランジ部として設け、この内壁３ａの口元に習って外壁３ｂも口元を内側に大きくすぼめてその先端を外側に広げて外壁フランジ部として設け、内壁フランジ部と外壁フランジ部とを溶着して、内、外壁間を真空引きし、底部一重壁で胴部真空二重としている。
【００１２】
この内容器３の内壁３ａの口元内径は、内容器３の底部の一重壁部分の外径よりも大きい径に形成している。
内壁３ａと外壁３ｂとからなる内容器３の底部は、中央より後述の温度調節器１２と接触する温度調節器当接壁と、この温度調節器当接壁周りでヒータ４と接触するヒータ当接壁と、ヒータ当接壁周りでヒータ押え板と接触するヒータ押え板当接壁と、ヒータ押え板当接壁周りで二重壁となる外周底壁とを順次段状に窪ませて設け、ヒータ押え板当接壁に内壁と連通して外部に通じるパイプ状の下筒１３を垂下している
【００１３】
内容器３内の液体を加熱するヒータ４は、ヒータ４を覆うヒータカバーと、ヒータ４を内容器３のヒータ当接壁に当接するヒータ押え板と、ヒータの熱を内容器の底部外側に逃がさない遮蔽板とを備えている。
遮蔽板の下側には、後述のメイン基板収納ボックスや電動ポンプ等を固定する取付板を内容器底部に設けている。
【００１４】
内容器３の底部を覆う底部材７は、金属製又は合成樹脂製の平板状であって、外周端に外装ケース２の下端を当接して外装ケースを回転自在としている。
【００１５】
外装ケース２の上端に結合した肩部材５は、図４に示すように、中央を上下に開口した開口部１６を設け、この開口部の前面に前方に延びた嘴部１７を設け、開口部１６の後面にヒンジ部１８を設けており、開口部１６を形成する周壁の下部に内側中央に向けて延びたフランジ部１９を設けている。
【００１６】
この開口部１６のフランジ部１９には、Ｌ字型のシールパッキンを張設しており、このシールパッキン上に内容器３の外壁フランジ部を当接している。
この開口部１６には、肩部材５のヒンジ部１８に枢支された蓋体６を開閉自在に装着している。３８はハンドルである。
【００１７】
肩部材５の嘴部は、図４に示すように、前方に向かって半楕円形状に設け、下側から上向きに空洞としており、上面壁を後述の操作部１１の操作パネル２０としている。
この操作パネル２０は、内側に嘴部１７の半楕円形状に近い六角形状に沿った周側壁２１を設けており、後述の操作部１１の基板ボックス２７をビス止めするビス軸２２，２２を垂下している。このビス軸２２は、操作パネル２０の先端に近い左右それぞれと開口部１６に近い左右離れたそれぞれに設けている。
【００１８】
操作パネル２０は、中央に後述の操作基板２６上に配置する液晶パネル２９を挿通する液晶パネル用開口２３を設け、この液晶パネル用開口の周りにそれぞれ沸騰、保温、吐出する各スイッチ用タッチ部２４、２４群やこれに伴う点灯表示用の各ランプ用小開口２５、２５群を設けている。
【００１９】
電気湯沸かし器１の操作部１１は、嘴部７の操作パネル２０と、操作パネルの上面に貼着する操作用シール２８と、中央に液晶パネル２９とその周りに各スイッチ３０、３０群やこれに伴う点灯表示用の各ランプ３１、３１群を配置する操作基板２６と、操作基板を収納し、操作パネル２０内壁の周側壁２１に嵌合する基板ボックス２７とからなっている。
【００２０】
操作基板２６は、図５に示すように、大きな六角形状に形成されており、表面中央に内容器内の液温を表示する液晶パネル２９を突出させ、この液晶パネルの下側周りに沸騰、保温、吐出用の各スイッチ３０，３０と、点灯表示用の各ランプ３１，３１を突出しており、液晶パネルの上側左右に後述の基板ボックスを操作パネルに止めるビスを貫通するための貫通孔３２、３２を設け、表面にコンピュータチップやコネクタ等も配置している。
この操作基板２６は、後述のメイン基板１０と連結配線されており、操作基板上の操作は、メイン基板のコンピュータ制御によって行われている。
【００２１】
操作基板を収納する基板ボックス２７は、図４に示すように、六角形状に沿った周側壁３３を設けて、内側に六角形状の操作基板２６を収納しており、操作パネル２０のビス軸２２，２２に相応するビス嵌合軸３４，３４を配置し、下壁中央に吐出パイプ配置用の溝３７を設けている。
【００２２】
基板ボックス２７の周側壁３３上端には、凹溝を設けており、操作基板を収納した状態でこの周側壁３３の凹溝内に操作パネル２０の六角形状に沿った周側壁２１を嵌め込んで、操作パネルと基板ボックスとを合致させ、基板ボックス下側よりビス嵌合軸３４，３４に向けてビスを螺着すれば、操作部１１の操作パネル２０と操作基板２６と基板ボックス２７とが固定される。
【００２３】
このとき操作基板２６上の液晶パネル２９が操作パネル２０の液晶パネル用開口２３内に嵌め込まれ、しかもビスが操作基板の貫通孔３２を貫通して、操作基板の移動を規制しているので、沸騰、保温、吐出用の各スイッチ３０，３０の誤作動をなくすことができる。
【００２４】
温度調節器１２は、サーミスタ等にて形成されており、内容器３底面壁の温度調節器当接壁に当接して遮蔽板に固定保持されている。
内容器３内の液温を感知してコンピュータ制御によりヒータ４をＯＮ、ＯＦＦするメイン基盤は、内容器３と底部材７間との間にあって、メイン基盤収納ボックス内に収納され、取付板に固定保持されており、操作部１１の操作によって、メイン基板のコンピュータを制御し、ヒータ４や吐出機構９を作動している。
【００２５】
吐出機構９は、内容器３内の液体を吸い上げて吐出パイプ３５先端より外部へ排出する電動ポンプ８と、吐出パイプ３５と電動ポンプ８との間にあって内容器３内の液量を表示する液量表示パイプ（図示せず）と、液量表示パイプと吐出パイプ３５との間にあって転倒時液量表示パイプ内の液体を止めて吐出パイプ３５からの流出を阻止する転倒止水部３６と、内容器３の下筒１３と電動ポンプ８とを連結、又電動ポンプと液量表示パイプとを連結、更に液量表示パイプと転倒止水部とを連結する各ジョイントパイプ（図示せず）とからなっている。
【００２６】
吐出機構の吐出パイプ３５上端は、内容器３の口元よりも上方にあって、図３に示すように、基板ボックス２７のほぼ中央の吐出パイプ配置用の溝３７に沿って、基板ボックス下壁と当接し、基板ボックスを支えるようにしている。吐出パイプ３５の下端は、外装ケース２先端部下壁に設けた吐出パイプ用の開口に向けて挿通している。
【００２７】
このようにして操作基板２６が取り付けられた操作部１１では、基板ボックスを大きな六角形状としているにもかかわらず、ほぼ中央の挿通された液晶パネル２９にて保持されると同時に、操作基板を収納した基板ボックスを操作パネル２０下壁にビス止めし、しかも基板ボックスの下壁ほぼ中央を吐出パイプにて支えているので、スイッチの操作を繰り返し行うような長期間の使用に際しても、何らスイッチ誤作動を起こすことがない。
【００２８】
肩部材５のヒンジ部に枢支された蓋体６は、上蓋と下蓋と下蓋の下面を覆い肩部材５の開口部１６を閉鎖する金属製の覆板とにて構成されている。
【００２９】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００３０】
【図１】本発明実施例の斜視図。
【図２】本発明実施例の中央縦断面図。
【図３】図２のＡ部拡大図。
【図４】本発明実施例の要部を示す分解斜視図。
【図５】本発明実施例の操作基板を示す斜視図。
【符号の説明】
【００３１】
１…電気湯沸かし器
２…外装ケース
３…内容器
３ａ…内壁
３ｂ…外壁
４…ヒータ
５…肩部材
６…蓋体
７…底部材
８…電動ポンプ
９…吐出機構
１０…メイン基板
１１…操作部
１２…温度調節器
１３…下筒
１６…開口部
１７…嘴部
１８…ヒンジ部
１９…フランジ部
２０…操作パネル
２１…操作パネルの周側壁
２２，２２…ビス軸
２４、２４…スイッチ用タッチ部
２５、２５…ランプ用小開口
２６…操作基板
２７…基板ボックス
２８…操作用シール
２９…液晶パネル
３０，３０…スイッチ
３１、３１…ランプ
３２、３２…貫通孔
３３…基板ボックスの周側壁
３４、３４…ビス嵌合軸
３５…吐出パイプ
３６…点灯止水部
３７…吐出パイプ用の溝
３８…ハンドル
【図１】
2007330285.tif 000003
【図２】
2007330285.tif 000004
【図３】
2007330285.tif 000005
【図４】
2007330285.tif 000006
【図５】
2007330285.tif 000007